(57)【要約】  本願は、信号構成方法、装置および記憶媒体を開示する。前記方法において、通信ネットワークの構成を表すための参照情報の少なくとも１種類を取得することと、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得ることとを含む。【選択図】  図１
2020504545.tif 000002
【特許請求の範囲】
【請求項１】
通信ネットワークの構成を表すための参照情報の少なくとも１種類を取得することと、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得ることとを含む信号構成方法。
【請求項２】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記の前記少なくとも１種類の参照情報に基づいて、前記位相追跡参照信号の時間領域および／または周波数領域のリソースを構成することは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくともスケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを含む請求項１に記載の方法。
【請求項３】
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する請求項２に記載の方法。
【請求項４】
前記位相追跡参照信号の時間領域および／または周波数領域のリソースの構成情報を得た後に、
ダウンリンク制御情報ＤＣＩ、無線リソース制御ＲＲＣ情報、アップリンクグラント（ＵＬ  ｇｒａｎｔ）のうちの少なくとも一つによって構成情報を受信側に送信すること、または、
アップリンク制御情報ＵＣＩによって構成情報を受信側に送信することをさらに含む請求項１〜３のいずれか一項に記載の方法。
【請求項５】
前記位相追跡参照信号の時間領域および／または周波数領域のリソースの構成情報を得た後に、
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信すること、または、
前記位相追跡参照信号の時間領域および／または周波数領域の構成が少なくとも一つの参照情報に関係することを指示するための指示情報を、ＵＣＩによって受信側に送信することをさらに含む請求項１〜３のいずれか一項に記載の方法。
【請求項６】
前記位相追跡参照信号の時間領域および／または周波数領域のリソースの構成情報を得た後に、
前記位相追跡参照信号とは異なる少なくとも１種類の参照信号が、前記時間領域および周波数領域のパターンに対応するリソースの位置に構成されているかを判断することと、
少なくとも１種類の参照信号が構成されているのであれば、前記位相追跡参照信号と、構成されている少なくとも１種類の参照信号を多重化することとをさらに含む請求項１に記載の方法。
【請求項７】
前記位相追跡参照信号の時間領域および／または周波数領域のリソースの構成情報を得た後に、
前記位相追跡参照信号とは異なる少なくとも１種類の参照信号が、前記時間領域および周波数領域のパターンに対応するリソースの位置に構成されているかを判断することと、
少なくとも１種類の参照信号が構成されているのであれば、前記少なくとも１種類の参照信号が、前記位相追跡参照信号の時間領域および周波数領域のパターンに対応するリソースの位置をすべて占用したかを判断することと、
占用されない時間領域および周波数領域のリソースの位置が少なくとも１つあれば、前記少なくとも１つの占用されない時間領域および周波数領域のリソースの位置に前記位相追跡参照信号を構成することとをさらに含む請求項１に記載の方法。
【請求項８】
通信ネットワークの構成を表すための参照情報の少なくとも１種類を取得する参照情報取得ユニットと、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る構成ユニットとを含む信号構成装置。
【請求項９】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記構成ユニットは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくとも前記スケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを実行するように構成される請求項８に記載の装置。
【請求項１０】
前記構成ユニットは、
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成するように構成される請求項９に記載の装置。
【請求項１１】
ＤＣＩ、ＲＲＣ、ＵＬ  ｇｒａｎｔのうちの少なくとも一つによって構成情報を受信側に送信し、または、アップリンク制御情報ＵＣＩによって構成情報を受信側に送信する通信ユニットをさらに含む請求項８〜１０のいずれか一項に記載の装置。
【請求項１２】
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩによって受信側に送信する通信ユニットをさらに含む請求項８〜１０のいずれか一項に記載の装置。
【請求項１３】
前記構成ユニットは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記位相追跡参照信号と、構成されている少なくとも１種類の参照信号を多重化するように構成される請求項８に記載の装置。
【請求項１４】
前記構成ユニットは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記少なくとも１種類の参照信号が、前記位相追跡参照信号の時間領域および周波数領域のパターンに対応するリソースの位置をすべて占用したかを判断し、
占用されない時間領域および周波数領域のリソースの位置が少なくとも１つあれば、前記少なくとも１つの占用されない時間領域および周波数領域のリソースの位置に前記位相追跡参照信号を構成するように構成される請求項８に記載の装置。
【請求項１５】
通信ネットワークの構成を表すための参照情報の少なくとも１種類を取得し、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得るプロセッサを含む信号構成装置。
【請求項１６】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記プロセッサは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくとも前記スケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを実行する請求項１５に記載の装置。
【請求項１７】
前記プロセッサは、
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する請求項１６に記載の装置。
【請求項１８】
ＤＣＩ、ＲＲＣ、ＵＬ  ｇｒａｎｔのうちの少なくとも一つによって構成情報を受信側に送信し、または、アップリンク制御情報ＵＣＩによって構成情報を受信側に送信する通信インタフェースをさらに含む請求項１５〜１７のいずれか一項に記載の装置。
【請求項１９】
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩによって受信側に送信する通信インタフェースをさらに含む請求項１５〜１７のいずれか一項に記載の装置。
【請求項２０】
前記プロセッサは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記位相追跡参照信号と、構成されている少なくとも１種類の参照信号を多重化する請求項１５に記載の装置。
【請求項２１】
前記プロセッサは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記少なくとも１種類の参照信号が、前記位相追跡参照信号の時間領域および周波数領域のパターンに対応するリソースの位置をすべて占用したかを判断し、
占用されない時間領域および周波数領域のリソースの位置が少なくとも１つあれば、前記少なくとも１つの占用されない時間領域および周波数領域のリソースの位置に前記位相追跡参照信号を構成する請求項１５に記載の装置。
【請求項２２】
プロセッサと、プロセッサで実行可能なコンピュータプログラムを記憶するメモリを含む信号構成装置において、
前記プロセッサは、前記コンピュータプログラムを実行すると、請求項１〜７のいずれか一項に記載の方法のステップを実行する信号構成装置。
【請求項２３】
コンピュータ実行可能な指令が記憶されている記憶媒体であって、
前記コンピュータ実行可能な指令が実行されると、請求項１〜７のいずれか一項に記載の方法のステップが実現される記憶媒体。
【発明の詳細な説明】
【技術分野】
【０００１】
本願は、２０１７年０１月０５日に中国特許庁に提出された中国特許出願２０１７１０００８０６２．０の優先権を主張し、その全ての内容が参考としてここに取り込まれる。
【０００２】
本願は、通信分野のリソース管理技術に係り、特に信号構成方法、装置および記憶媒体に係る。
【背景技術】
【０００３】
５Ｇ  ＮＲにおいて、低周波（６ＧＨｚより小さい周波数帯域）から高周波（６ＧＨｚ〜１００ＧＨｚ）までの全周波数帯域のアクセスがサポートされる。高周波数帯域において、局部発振器の非理想性による位相雑音の問題が非常に深刻である。６ＧＨｚより小さい低周波数帯域の通信システムより、６ＧＨｚ〜１００ＧＨｚの高周波数帯域の通信システムは、参照クロックソースの周波数倍増回数が大幅に増加するため、その位相雑音も対応的に大幅に増加する。位相雑音によって、受信側のＳＮＲまたはＥＶＭが悪化し、大量のエラーコードが生じてしまい、直接的に高次コンステレーション変調の使用を制限し、システム容量に深刻に影響する。
【０００４】
現在、一定の時間領域、連続の周波数領域で一定の密度で位相追跡参照信号が構成される。このような一定方式で構成される位相追跡参照信号は、位相追跡の性能上優れるものの、時間領域の連続性および周波数領域の密度の一定性によって、参照信号のコストが非常に大きく、スペクトル効率が非常に低い。
【発明の概要】
【発明が解決しようとする課題】
【０００５】
本願の主要な目的として、従来技術に存在する上記問題を解決するために、信号構成方法、装置および記憶媒体を提供する。
【課題を解決するための手段】
【０００６】
上記目的を実現するために、本願は、信号構成方法を提供する。当該方法において、通信ネットワークの構成を表すための参照情報の少なくとも１種類を取得することと、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得ることとを含む。
【０００７】
本願は、信号構成装置を提供する。当該装置は、通信ネットワークの構成を表すための参照情報の少なくとも１種類を取得する参照情報取得ユニットと、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る構成ユニットとを含む。
【０００８】
本願は、信号構成装置を提供する。当該装置は、プロセッサを含む。当該プロセッサは、通信ネットワークの構成を表すための参照情報の少なくとも１種類を取得し、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る。
【０００９】
本願は、プロセッサと、プロセッサで実行可能なコンピュータプログラムを記憶するメモリを含む信号構成装置を提供し、前記プロセッサは、前記コンピュータプログラムを実行すると、上記方法のステップを実行する。
【００１０】
本願は、コンピュータ実行可能な指令が記憶されている記憶媒体を提供し、前記コンピュータ実行可能な指令が実行されると、上記方法のステップが実現される。
【発明の効果】
【００１１】
本願の信号構成方法、装置および記憶媒体は、参照情報に基づいて、位相追跡信号に対し時間領域および周波数領域のリソースの関連構成を行う。このように、位相追跡信号の一定構成方式によって信号コストが大きいという問題が避けられ、位相追跡参照信号のスペクトル効率が向上する。
【図面の簡単な説明】
【００１２】
【図１】本願の実施例における信号構成方法のフローチャートである。
【図２−１】本願の実施例における信号構成装置の構造図その１である。
【図２−２】本願の実施例における信号構成装置の構造図その２である。
【図３】従来技術における位相追跡参照信号のリソース構成のパターン概略図である。
【図４】本願の実施例における信号構成装置の構造図その３である。
【発明を実施するための形態】
【００１３】
以下、添付図面および具体的な実施例を通じて本願をさらに詳細に説明する。
【００１４】
＜実施例１＞
本願の実施例における信号構成方法は、図１に示すように、通信ネットワークの構成を表すための参照情報の少なくとも１種類を取得するステップ１０１と、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得るステップ１０２とを含む。
【００１５】
さらに、前記少なくとも１種類の参照情報は、位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含む。
【００１６】
ここで、前記位相雑音の単側波帯の電力スペクトル密度は、位相雑音モデルから取得されるが、ほかの方法によっても取得可能であり、本実施例ではその取得方法を枚挙しない。位相雑音の単側波帯の電力スペクトル密度は、その形状が主に局部発振器のコスト、周波数帯域、工程および電力損失に関係するが、ここでは贅言しない。
【００１７】
ＭＣＳは、変調と符号化のスキームであり、システムで異なる通信スキームが呼び出されるよう、異なる変調、符号化方式に番号が振られる。たとえば、８０２．１１通信において、異なる通信環境に対応するよう、ＭＣＳ  ｉｎｄｅｘ（ＭＣＳのインデックス）を用いて無線通信のレート構成を行う。
【００１８】
対応的に、前記の前記少なくとも１種類の参照情報に基づいて、前記位相追跡参照信号の時間領域および／または周波数領域のリソースを構成することは、少なくとも周波数偏移の増加に対応する前記位相雑音の単側波帯の電力スペクトル密度に基づいて、前記位相追跡参照信号の時間領域および／または周波数領域のリソースを構成すること、少なくとも前記ＭＣＳに基づいて、前記位相追跡参照信号の時間領域および／または周波数領域のリソースを構成すること、少なくとも前記サブキャリア間隔に基づいて、前記位相追跡参照信号の時間領域および／または周波数領域のリソースを構成すること、少なくとも前記スケジューリングすべき時間領域および／または周波数領域のリソースブロックの数に基づいて、前記位相追跡参照信号の時間領域および／または周波数領域のリソースを構成すること、少なくとも通信波形に基づいて、前記位相追跡参照信号の時間領域および／または周波数領域のリソースを構成すること、の少なくとも一つを含む。
【００１９】
具体的に、周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成するが、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成する。ここで、前記第１密度閾値範囲内の数値は、第２密度閾値範囲内の数値より小さく、前記第１密度閾値範囲または第２密度閾値範囲には、それぞれ、互いに交差しまたは交差しない密度閾値サブセットを含む。
【００２０】
すなわち、位相雑音モデルと位相追跡参照信号の時間領域および周波数領域の構成の関係として、周波数偏移の増加につれて位相雑音の単側波帯の電力スペクトル密度の低下速度が遅いほど、位相追跡参照信号の時間領域および周波数領域の密度が高く必要されるが、周波数偏移の増加につれて位相雑音の単側波帯の電力スペクトル密度の低下速度が速いほど、位相追跡参照信号の時間領域および周波数領域の密度が低く必要される。
【００２１】
なお、上記第１密度閾値範囲および第２密度閾値範囲では、連続の時間領域、１０％より小さい周波数領域に対応する密度を上限とする。
【００２２】
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成する。ここで、前記第１所定範囲内の数値は、第２所定範囲内の数値より小さく、前記第１密度閾値範囲内の数値は、第２密度閾値範囲内の数値より小さい。前記第１所定範囲または第２所定範囲には、それぞれ、互いに交差しまたは交差しない所定サブセットを含む。
【００２３】
すなわち、ＭＣＳと位相追跡参照信号の時間領域および周波数領域の構成の関係として、低ＭＣＳには、位相追跡参照信号の時間領域および周波数領域の密度が低く必要されるが、高ＭＣＳには、位相追跡参照信号の時間領域および周波数領域の密度が高く必要される。
【００２４】
さらに、サブキャリア間隔と位相追跡参照信号の時間領域および周波数領域の構成の関係として、前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成する。ここで、前記第３所定範囲内の数値は、第４所定範囲内の数値より大きい。ここで、前記第３所定範囲または第４所定範囲には、それぞれ、少なくとも１つの所定範囲サブセットを含み、ここでは贅言しない。
【００２５】
具体的に、サブキャリア間隔が大きいほど、位相追跡参照信号の時間領域および周波数領域の密度が低く必要されるが、サブキャリア間隔が小さいほど、位相追跡参照信号の時間領域および周波数領域の密度が高く必要される。なお、異なるサブキャリア間隔と、それに対応する時間領域および周波数領域の密度には、予め設定された対応テーブルを有する。当該対応テーブルのルールとして、サブキャリア間隔が大きいほど、位相追跡参照信号の時間領域および周波数領域の密度が低く必要されるが、サブキャリア間隔が小さいほど、位相追跡参照信号の時間領域および周波数領域の密度が高く必要される。または、複数のレベルを有してもよい。サブキャリア間隔が第１レベルの範囲にあると、第１密度で時間領域および周波数領域の密度を構成し、それに準じて類推する。ここで、各レベルの範囲の数値は、それぞれ異なる。
【００２６】
前記スケジューリングすべき時間領域および／または周波数領域のリソースブロックの数と位相追跡参照信号の時間領域および周波数領域の構成の関係として、スケジューリングすべき時間領域および／または周波数領域のリソースブロックの数に基づいて、前記位相追跡参照信号の時間領域および／または周波数領域のリソースに対して、割当可能な上限値および割当可能な下限値を設定する。すなわち、位相追跡参照信号の時間領域および／または周波数領域は、スケジューリングされるＲＢの増加につれて比例的に増加するように構成される必要がなく、その時間領域および／または周波数領域の構成数に最大の割当可能な上限値および最小の割当可能な下限値を有する。
【００２７】
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する。通信波形に基づいて、前記位相追跡参照信号の時間領域および／または周波数領域のリソースに対応する密度を特定することは、具体的に、波形と位相追跡参照信号の時間領域および周波数領域の構成の関係として、ＯＦＤＭで通信するシステムより、シングルキャリアで通信するシステムのほうの位相追跡参照信号の時間領域および周波数領域の密度が低い。
【００２８】
位相追跡参照信号の時間領域および周波数領域のパターンの構成が完成されると、パターンの構成情報を明示的または暗示的なシグナリング指示方式で受信側に通知する。
【００２９】
まず、明示的なシグナリング指示方式で受信側に通知する処理を紹介する。
前記位相追跡参照信号の時間領域および周波数領域のパターンを得た後に、前記方法において、前記位相追跡参照信号の時間領域および周波数領域のパターンをＤＣＩ、ＲＲＣ、ＵＬ  ｇｒａｎｔのうちの少なくとも一つによって受信側に送信すること、または、前記位相追跡参照信号の時間領域および周波数領域のパターンをＵＣＩなどの情報によって受信側に送信することをさらに含む。
【００３０】
すなわち、基地局で構成して端末で受信する場合、ダウンリンクシグナリングで送信する。具体的に、ＤＣＩ、ＲＲＣ、ＵＬ  ｇｒａｎｔのうちの少なくとも一つのシグナリング指示方式で端末に通知する。端末で構成して基地局で受信する場合、アップリンクシグナリングで送信する。具体的に、ＵＣＩなどのシグナリング指示方式で基地局に通知する。
【００３１】
次に、暗示的なシグナリング指示方式で受信側に通知する方式を紹介する。
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩなどの情報によって受信側に送信する。
【００３２】
具体的に、基地局から関連構成を端末に通知する場合、ダウンリンクにおいて、位相追跡参照信号の時間領域および周波数領域の構成が位相雑音モデルまたはＭＣＳまたはサブキャリア間隔またはスケジューリングされるＲＢまたは波形に関係することを、ＤＣＩ、ＲＲＣ、ＵＬ  ｇｒａｎｔのうちの少なくとも一つのシグナリング指示方式で端末に通知する。端末は、これらの情報に基づいて、テーブルを検索するなどの方式によって、位相追跡参照信号の時間領域および周波数領域の構成を得る。
【００３３】
端末から関連構成を基地局に通知する場合、アップリンクにおいて、位相追跡参照信号の時間領域および周波数領域の構成が位相雑音モデルまたはＭＣＳまたはサブキャリア間隔またはスケジューリングされるＲＢまたは波形に関係することを、ＵＣＩなどのシグナリング指示方式で基地局に通知する。基地局は、これらの情報に基づいて、テーブルを検索するなどの方式によって、位相追跡参照信号の時間領域および周波数領域の構成を得る。
【００３４】
前記位相追跡参照信号の時間領域および周波数領域のパターンを得た後に、前記方法において、前記位相追跡参照信号とは異なるほかの少なくとも１種類の参照信号が、前記時間領域および周波数領域のパターンに対応するリソースの位置に構成されているかを判断することと、少なくとも１種類の参照信号が構成されているのであれば、前記位相追跡参照信号と、構成されている少なくとも１種類の参照信号を多重化することとをさらに含む。
【００３５】
ここで、前記ほかの参照信号は、アップリンクやダウンリンクにおいてチャネルの推定や測定または同期などの機能に用いられる既知の信号であり、ＤＭＲＳ、ＣＳＩ−ＲＳまたはＳＲＳなどである。具体的に、位相追跡参照信号は、すでに存在しているほかの参照信号と十分に多重化される。多重化とは、ほかの参照信号が対応する時間領域および周波数領域のリソースに存在しているのであれば、前記位相追跡参照信号を構成する必要がない。ほかの参照信号の役割は、チャネルの推定や測定または同期などの機能に用いられ、具体的に送信される情報についてここでは贅言しない。
【００３６】
さらに、少なくとも１種類の参照信号が構成されているのであれば、前記少なくとも１種類の参照信号が、前記位相追跡参照信号の時間領域および周波数領域のパターンに対応するリソースの位置をすべて占用したかを判断する。占用されない時間領域および周波数領域のリソースの位置が少なくとも１つあれば、前記少なくとも１つの占用されない時間領域および周波数領域のリソースの位置に前記位相追跡参照信号を構成する。
【００３７】
すなわち、位相追跡参照信号の時間領域および周波数領域の所要数は、位相雑音モデル、ＭＣＳ、サブキャリア間隔、スケジューリングされるＲＢおよび波形に関係する。現在の時間領域および周波数領域でほかの参照信号の数が足りない場合、得られた前記位相追跡参照信号の構成に基づいて対応的に補充する必要がある。
【００３８】
上記技術手段によれば、参照情報に基づいて、位相追跡信号に対し時間領域および周波数領域のリソースの関連構成を行うことができる。このように、位相追跡信号の一定構成方式によって信号コストが大きいという問題が避けられ、位相追跡参照信号のスペクトル効率が向上する。
【００３９】
＜実施例２＞
本願の実施例における信号構成装置は、図２−１に示すように、通信ネットワークの構成を表すための参照情報の少なくとも１種類を取得する参照情報取得ユニット２１と、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る構成ユニット２２とを含む。
【００４０】
さらに、前記少なくとも１種類の参照情報は、位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含む。
【００４１】
ここで、前記位相雑音の単側波帯の電力スペクトル密度は、位相雑音モデルから取得されるが、ほかの方法によっても取得可能であり、本実施例ではその取得方法を枚挙しない。位相雑音の単側波帯の電力スペクトル密度は、その形状が主に局部発振器のコスト、周波数帯域、工程および電力損失に関係するが、ここでは贅言しない。
【００４２】
ＭＣＳは、変調と符号化のスキームであり、システムで異なる通信スキームが呼び出されるよう、異なる変調、符号化方式に番号が振られる。たとえば、８０２．１１通信において、異なる通信環境に対応するよう、ＭＣＳ  ｉｎｄｅｘ（ＭＣＳのインデックス）を用いて無線通信のレート構成を行う。
【００４３】
対応的に、前記構成ユニットは、少なくとも周波数偏移の増加に対応する前記位相雑音の単側波帯の電力スペクトル密度に基づいて、前記位相追跡参照信号の時間領域および／または周波数領域のリソースを構成すること、少なくとも前記ＭＣＳに基づいて、前記位相追跡参照信号の時間領域および／または周波数領域のリソースを構成すること、少なくとも前記サブキャリア間隔に基づいて、前記位相追跡参照信号の時間領域および／または周波数領域のリソースを構成すること、少なくとも前記スケジューリングすべき時間領域および／または周波数領域のリソースブロックの数に基づいて、前記位相追跡参照信号の時間領域および／または周波数領域のリソースを構成すること、少なくとも通信波形に基づいて、前記位相追跡参照信号の時間領域および／または周波数領域のリソースを構成すること、の少なくとも一つを実行する。
【００４４】
具体的に、周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成する。ここで、前記第１密度閾値範囲内の数値は、第２密度閾値範囲内の数値より小さく、前記第１密度閾値範囲または第２密度閾値範囲には、それぞれ、互いに交差しまたは交差しない密度閾値サブセットを含む。
【００４５】
すなわち、位相雑音モデルと位相追跡参照信号の時間領域および周波数領域の構成の関係として、周波数偏移の増加につれて位相雑音の単側波帯の電力スペクトル密度の低下速度が遅いほど、位相追跡参照信号の時間領域および周波数領域の密度が高く必要されるが、周波数偏移の増加につれて位相雑音の単側波帯の電力スペクトル密度の低下速度が速いほど、位相追跡参照信号の時間領域および周波数領域の密度が低く必要される。
【００４６】
なお、上記第１密度閾値範囲および第２密度閾値範囲では、連続の時間領域、１０％より小さい周波数領域に対応する密度を上限とする。
【００４７】
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成する。ここで、前記第１所定範囲内の数値は、第２所定範囲内の数値より小さく、前記第１密度閾値範囲内の数値は、第２密度閾値範囲内の数値より小さい。前記第１所定範囲または第２所定範囲には、それぞれ、互いに交差しまたは交差しない所定サブセットを含む。
【００４８】
すなわち、ＭＣＳと位相追跡参照信号の時間領域および周波数領域の構成の関係として、低ＭＣＳには、位相追跡参照信号の時間領域および周波数領域の密度が低く必要されるが、高ＭＣＳには、位相追跡参照信号の時間領域および周波数領域の密度が高く必要される。
【００４９】
さらに、サブキャリア間隔と位相追跡参照信号の時間領域および周波数領域の構成の関係として、前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成する。ここで、前記第３所定範囲内の数値は、第４所定範囲内の数値より大きい。ここで、前記第３所定範囲または第４所定範囲には、それぞれ、少なくとも１つの所定範囲サブセットを含み、ここでは贅言しない。
【００５０】
スケジューリングされるＲＢと位相追跡参照信号の時間領域および周波数領域の構成の関係として、スケジューリングすべき時間領域および／または周波数領域のリソースブロックの数に基づいて、前記位相追跡参照信号の時間領域および／または周波数領域のリソースに対して、割当可能な上限値および割当可能な下限値を設定する。すなわち、位相追跡参照信号の時間領域および／または周波数領域は、スケジューリングされるＲＢの増加につれて比例的に増加するように構成される必要がなく、その時間領域および／または周波数領域の構成数に最大の割当可能な上限値および最小の割当可能な下限値を有する。
【００５１】
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する。通信波形に基づいて、前記位相追跡参照信号の時間領域および／または周波数領域のリソースに対応する密度を特定することは、具体的に、波形と位相追跡参照信号の時間領域および周波数領域の構成の関係として、ＯＦＤＭで通信するシステムより、シングルキャリアで通信するシステムのほうの位相追跡参照信号の時間領域および周波数領域の密度が低い。
【００５２】
位相追跡参照信号の時間領域および周波数領域のパターンの構成が完成されると、パターンの構成情報を明示的または暗示的なシグナリング指示方式で受信側に通知する。
【００５３】
まず、明示的なシグナリング指示方式で受信側に通知する処理を紹介する。
図２−１を基に、図２−２に示すように、前記装置は、前記位相追跡参照信号の時間領域および周波数領域のパターンをＤＣＩまたはＲＲＣによって受信側に送信し、または、前記位相追跡参照信号の時間領域および周波数領域のパターンをＵＣＩなどの情報によって受信側に送信する通信ユニット２３をさらに含む。
【００５４】
すなわち、基地局で構成して端末で受信する場合、ダウンリンクシグナリングで送信する。具体的に、ＤＣＩ、ＲＲＣ、ＵＬ  ｇｒａｎｔのうちの少なくとも一つのシグナリング指示方式で端末に通知する。端末で構成して基地局で受信する場合、アップリンクシグナリングで送信する。具体的に、ＵＣＩなどのシグナリング指示方式で基地局に通知する。
【００５５】
次に、暗示的なシグナリング指示方式で受信側に通知する方式を紹介する。
通信ユニット２３は、前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩなどの情報によって受信側に送信する。
【００５６】
具体的に、基地局から関連構成を端末に通知する場合、ダウンリンクにおいて、位相追跡参照信号の時間領域および周波数領域の構成が位相雑音モデルまたはＭＣＳまたはサブキャリア間隔またはスケジューリングされるＲＢまたは波形に関係することを、ＤＣＩ、ＲＲＣ、ＵＬ  ｇｒａｎｔのうちの少なくとも一つのシグナリング指示方式で端末に通知する。端末は、これらの情報に基づいて、テーブルを検索するなどの方式によって、位相追跡参照信号の時間領域および周波数領域の構成を得る。
【００５７】
端末から関連構成を基地局に通知する場合、アップリンクにおいて、位相追跡参照信号の時間領域および周波数領域の構成が位相雑音モデルまたはＭＣＳまたはサブキャリア間隔またはスケジューリングされるＲＢまたは波形に関係することを、ＵＣＩなどのシグナリング指示方式で基地局に通知する。基地局は、これらの情報に基づいて、テーブルを検索するなどの方式によって、位相追跡参照信号の時間領域および周波数領域の構成を得る。
【００５８】
前記構成ユニットは、前記位相追跡参照信号とは異なるほかの少なくとも１種類の参照信号が、前記時間領域および周波数領域のパターンに対応するリソースの位置に構成されているかを判断し、少なくとも１種類の参照信号が構成されているのであれば、前記位相追跡参照信号と、構成されている少なくとも１種類の参照信号を多重化する。
【００５９】
ここで、前記ほかの参照信号は、アップリンクやダウンリンクにおいてチャネルの推定や測定または同期などの機能に用いられる既知の信号であり、ＤＭＲＳ、ＣＳＩ−ＲＳまたはＳＲＳなどである。具体的に、位相追跡参照信号は、すでに存在しているほかの参照信号と十分に多重化される。
【００６０】
さらに、前記構成ユニットは、少なくとも１種類の参照信号が構成されているのであれば、前記少なくとも１種類の参照信号が、前記位相追跡参照信号の時間領域および周波数領域のパターンに対応するリソースの位置をすべて占用したかを判断し、占用されない時間領域および周波数領域のリソースの位置が少なくとも１つあれば、前記少なくとも１つの占用されない時間領域および周波数領域のリソースの位置に前記位相追跡参照信号を構成する。
【００６１】
すなわち、位相追跡参照信号の時間領域および周波数領域の所要数は、位相雑音モデル、ＭＣＳ、サブキャリア間隔、スケジューリングされるＲＢおよび波形に関係する。現在の時間領域および周波数領域でほかの参照信号の数が足りない場合、得られた前記位相追跡参照信号の構成に基づいて対応的に補充する必要がある。
【００６２】
従来技術の図３に示す位相追跡参照信号を一定的に構成する方式において、図示の淡い色のブロックに対応する時間周波数リソースは、位相追跡参照信号に割り当てられた一定の時間領域および周波数領域のリソースの位置を表す。本願の技術手段によれば、より柔軟に位相追跡参照信号に対し構成を行い、位相追跡信号の一定構成方式によって信号コストが大きいという問題が避けられ、位相追跡参照信号のスペクトル効率が向上する。
【００６３】
＜実施例３＞
本願の実施例における信号構成装置は、図４に示すように、プロセッサ４１を含む。プロセッサ４１は、通信ネットワークの構成を表すための参照情報の少なくとも１種類を取得し、前記少なくとも１種類の参照情報に基づいて、前記位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る。
【００６４】
さらに、前記少なくとも１種類の参照情報は、位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含む。
【００６５】
ここで、前記位相雑音の単側波帯の電力スペクトル密度は、位相雑音モデルから取得されるが、ほかの方法によっても取得可能であり、本実施例ではその取得方法を枚挙しない。位相雑音の単側波帯の電力スペクトル密度は、その形状が主に局部発振器のコスト、周波数帯域、工程および電力損失に関係するが、ここでは贅言しない。
【００６６】
ＭＣＳは、変調と符号化のスキームであり、システムで異なる通信スキームが呼び出されるよう、異なる変調、符号化方式に番号が振られる。たとえば、８０２．１１通信において、異なる通信環境に対応するよう、ＭＣＳ  ｉｎｄｅｘ（ＭＣＳのインデックス）を用いて無線通信のレート構成を行う。
【００６７】
対応的に、前記プロセッサ４１は、少なくとも周波数偏移の増加に対応する前記位相雑音の単側波帯の電力スペクトル密度に基づいて、前記位相追跡参照信号の時間領域および／または周波数領域のリソースを構成すること、少なくとも前記ＭＣＳに基づいて、前記位相追跡参照信号の時間領域および／または周波数領域のリソースを構成すること、少なくとも前記サブキャリア間隔に基づいて、前記位相追跡参照信号の時間領域および／または周波数領域のリソースを構成すること、少なくとも前記スケジューリングすべき時間領域および／または周波数領域のリソースブロックの数に基づいて、前記位相追跡参照信号の時間領域および／または周波数領域のリソースを構成すること、少なくとも通信波形に基づいて、前記位相追跡参照信号の時間領域および／または周波数領域のリソースを構成すること、の少なくとも一つを実行する。
【００６８】
具体的に、周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成する。ここで、前記第１密度閾値範囲内の数値は、第２密度閾値範囲内の数値より小さく、前記第１密度閾値範囲または第２密度閾値範囲には、それぞれ、互いに交差しまたは交差しない密度閾値サブセットを含む。
【００６９】
すなわち、位相雑音モデルと位相追跡参照信号の時間領域および周波数領域の構成の関係として、周波数偏移の増加につれて位相雑音の単側波帯の電力スペクトル密度の低下速度が遅いほど、位相追跡参照信号の時間領域および周波数領域の密度が高く必要されるが、周波数偏移の増加につれて位相雑音の単側波帯の電力スペクトル密度の低下速度が速いほど、位相追跡参照信号の時間領域および周波数領域の密度が低く必要される。
【００７０】
なお、上記第１密度閾値範囲および第２密度閾値範囲では、連続の時間領域、１０％より小さい周波数領域に対応する密度を上限とする。
【００７１】
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成する。ここで、前記第１所定範囲内の数値は、第２所定範囲内の数値より小さく、前記第１密度閾値範囲内の数値は、第２密度閾値範囲内の数値より小さい。前記第１所定範囲または第２所定範囲には、それぞれ、互いに交差しまたは交差しない所定サブセットを含む。
【００７２】
すなわち、ＭＣＳと位相追跡参照信号の時間領域および周波数領域の構成の関係として、低ＭＣＳには、位相追跡参照信号の時間領域および周波数領域の密度が低く必要されるが、高ＭＣＳには、位相追跡参照信号の時間領域および周波数領域の密度が高く必要される。
【００７３】
さらに、サブキャリア間隔と位相追跡参照信号の時間領域および周波数領域の構成の関係として、前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成する。ここで、前記第３所定範囲内の数値は、第４所定範囲内の数値より大きい。ここで、前記第３所定範囲または第４所定範囲には、それぞれ、少なくとも１つの所定範囲サブセットを含み、ここでは贅言しない。
【００７４】
スケジューリングされるＲＢと位相追跡参照信号の時間領域および周波数領域の構成の関係として、スケジューリングすべき時間領域および／または周波数領域のリソースブロックの数に基づいて、前記位相追跡参照信号の時間領域および／または周波数領域のリソースに対して、割当可能な上限値および割当可能な下限値を設定する。すなわち、位相追跡参照信号の時間領域および／または周波数領域は、スケジューリングされるＲＢの増加につれて比例的に増加するように構成される必要がなく、その時間領域および／または周波数領域の構成数に最大の割当可能な上限値および最小の割当可能な下限値を有する。
【００７５】
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する。通信波形に基づいて、前記位相追跡参照信号の時間領域および／または周波数領域のリソースに対応する密度を特定することは、具体的に、波形と位相追跡参照信号の時間領域および周波数領域の構成の関係として、ＯＦＤＭで通信するシステムより、シングルキャリアで通信するシステムのほうの位相追跡参照信号の時間領域および周波数領域の密度が低い。
【００７６】
位相追跡参照信号の時間領域および周波数領域のパターンの構成が完成されると、パターンの構成情報を明示的または暗示的なシグナリング指示方式で受信側に通知する。
【００７７】
まず、明示的なシグナリング指示方式で受信側に通知する処理を紹介する。
前記装置は、前記位相追跡参照信号の時間領域および周波数領域のパターンを、ＤＣＩ、ＲＲＣ、ＵＬ  ｇｒａｎｔのうちの少なくとも一つによって受信側に送信し、または、前記位相追跡参照信号の時間領域および周波数領域のパターンを、ＵＣＩなどの情報によって受信側に送信する通信インタフェース４２をさらに含む。
【００７８】
すなわち、基地局で構成して端末で受信する場合、ダウンリンクシグナリングで送信する。具体的に、ＤＣＩ、ＲＲＣ、ＵＬ  ｇｒａｎｔのうちの少なくとも一つのシグナリング指示方式で端末に通知する。端末で構成して基地局で受信する場合、アップリンクシグナリングで送信する。具体的に、ＵＣＩなどのシグナリング指示方式で基地局に通知する。
【００７９】
次に、暗示的なシグナリング指示方式で受信側に通知する方式を紹介する。
通信インタフェース４２は、前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩなどの情報によって受信側に送信する。
【００８０】
具体的に、基地局から関連構成を端末に通知する場合、ダウンリンクにおいて、位相追跡参照信号の時間領域および周波数領域の構成が位相雑音モデルまたはＭＣＳまたはサブキャリア間隔またはスケジューリングされるＲＢまたは波形に関係することを、ＤＣＩ、ＲＲＣ、ＵＬ  ｇｒａｎｔのうちの少なくとも一つのシグナリング指示方式で端末に通知する。端末は、これらの情報に基づいて、テーブルを検索するなどの方式によって、位相追跡参照信号の時間領域および周波数領域の構成を得る。
【００８１】
端末から関連構成を基地局に通知する場合、アップリンクにおいて、位相追跡参照信号の時間領域および周波数領域の構成が位相雑音モデルまたはＭＣＳまたはサブキャリア間隔またはスケジューリングされるＲＢまたは波形に関係することを、ＵＣＩなどのシグナリング指示方式で基地局に通知する。基地局は、これらの情報に基づいて、テーブルを検索するなどの方式によって、位相追跡参照信号の時間領域および周波数領域の構成を得る。
【００８２】
前記プロセッサ４１は、前記位相追跡参照信号とは異なるほかの少なくとも１種類の参照信号が、前記時間領域および周波数領域のパターンに対応するリソースの位置に構成されているかを判断し、少なくとも１種類の参照信号が構成されているのであれば、前記位相追跡参照信号と、構成されている少なくとも１種類の参照信号を多重化する。
【００８３】
ここで、前記ほかの参照信号は、アップリンクやダウンリンクにおいてチャネルの推定や測定または同期などの機能に用いられる既知の信号であり、ＤＭＲＳ、ＣＳＩ−ＲＳまたはＳＲＳなどである。具体的に、位相追跡参照信号は、すでに存在しているほかの参照信号と十分に多重化される。
【００８４】
さらに、前記構成ユニットは、少なくとも１種類の参照信号が構成されているのであれば、前記少なくとも１種類の参照信号が、前記位相追跡参照信号の時間領域および周波数領域のパターンに対応するリソースの位置をすべて占用したかを判断し、占用されない時間領域および周波数領域のリソースの位置が少なくとも１つあれば、前記少なくとも１つの占用されない時間領域および周波数領域のリソースの位置に前記位相追跡参照信号を構成する。
【００８５】
すなわち、位相追跡参照信号の時間領域および周波数領域の所要数は、位相雑音モデル、ＭＣＳ、サブキャリア間隔、スケジューリングされるＲＢおよび波形に関係する。現在の時間領域および周波数領域でほかの参照信号の数が足りない場合、得られた前記位相追跡参照信号の構成に基づいて対応的に補充する必要がある。
【００８６】
従来技術の図３に示す位相追跡参照信号を一定的に構成する方式において、図示の淡い色のブロックに対応する時間周波数リソースは、位相追跡参照信号に割り当てられた一定の時間領域および周波数領域のリソースの位置を表す。本願の技術手段によれば、より柔軟に位相追跡参照信号に対し構成を行い、位相追跡信号の一定構成方式によって信号コストが大きいという問題が避けられ、位相追跡参照信号のスペクトル効率が向上する。
【００８７】
本発明の実施例は、少なくとも１つのプロセッサと、メモリと、少なくとも１つのネットワークインタフェースを含む信号構成装置を提供する。各構成要素は、バスシステムによって結合される。本発明の実施例のメモリは、揮発性メモリまたは非揮発性メモリであり、または、揮発性メモリと非揮発性メモリの両方を含む。
【００８８】
一部の実施例において、メモリには、実行可能なモジュールまたはデータ構造、またはそれらのサブセット、またはそれらの拡張セットであるオペレーティングシステムとアプリケーションプログラムが記憶されている。
【００８９】
ここで、前記プロセッサは、前記実施例１の方法のステップを処理可能に構成されるが、ここでは贅言しない。
【００９０】
本発明の実施例は、コンピュータ実行可能な指令が記憶されている記憶媒体を提供し、前記コンピュータ実行可能な指令が実行されると、前記実施例１の方法のステップが実施される。
【００９１】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【００９２】
上述した本発明の実施例の番号は、単に記載用のものであり、実施例の優劣を代表しない。
【００９３】
以上の実施形態の記載によれば、上記実施例の方法を、ソフトウェアに必須で汎用のハードウェアプラットフォームを併用した形式で実現することができ、もちろんハードウェアによっても実現できるが、多くの場合、前者がより好適な実施形態であることは、当業者が分かる。このような理解に基づき、本願の技術手段の実質的または従来技術に貢献した部分は、ソフトウェアプロダクトの形式で現れる。当該コンピュータソフトウェアプロダクトは、本願の各実施例に記載の方法を一台の端末機器（携帯電話、コンピュータ、装置、空調機またはネットワーク機器など）に実行させるいくつかの指令を含む記憶媒体（たとえばＲＯＭ／ＲＡＭ、磁気ディスク、光ディスク）に記憶される。
【００９４】
以上の記載は、単に本発明の好適な実施例であり、それによって本発明の特許範囲を限定するのではない。本発明の明細書および添付図面の内容を利用して為した均等な構造や均等なフローの差し替え、または、ほかの関連する技術分野への直接または間接的な運用であれば、いずれも同一理由によって本発明の特許保護範囲内に含まれる。
【図１】
2020504545.tif 000003
【図２−１】
2020504545.tif 000004
【図２−２】
2020504545.tif 000005
【図３】
2020504545.tif 000006
【図４】
2020504545.tif 000007
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
通信ネットワークの構成を表すための参照情報の少なくとも１種類を取得することと、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得ることとを含む信号構成方法。
【請求項２】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記の前記少なくとも１種類の参照情報に基づいて、前記位相追跡参照信号の時間領域および／または周波数領域のリソースを構成することは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくともスケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを含む請求項１に記載の方法。
【請求項３】
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する請求項２に記載の方法。
【請求項４】
前記位相追跡参照信号の時間領域および／または周波数領域のリソースの構成情報を得た後に、
ダウンリンク制御情報ＤＣＩ、無線リソース制御ＲＲＣ情報、アップリンクグラント（ＵＬ  ｇｒａｎｔ）のうちの少なくとも一つによって構成情報を受信側に送信すること、または、
アップリンク制御情報ＵＣＩによって構成情報を受信側に送信することをさらに含み、
或いは、
前記位相追跡参照信号の時間領域および／または周波数領域のリソースの構成情報を得た後に、
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信すること、または、
前記位相追跡参照信号の時間領域および／または周波数領域の構成が少なくとも一つの参照情報に関係することを指示するための指示情報を、ＵＣＩによって受信側に送信することをさらに含み、
或いは、
前記位相追跡参照信号の時間領域および／または周波数領域のリソースの構成情報を得た後に、
前記位相追跡参照信号とは異なる少なくとも１種類の参照信号が、前記時間領域および周波数領域のパターンに対応するリソースの位置に構成されているかを判断することと、
少なくとも１種類の参照信号が構成されているのであれば、前記位相追跡参照信号と、構成されている少なくとも１種類の参照信号を多重化することとをさらに含む請求項１〜３のいずれか一項に記載の方法。
【請求項５】
前記位相追跡参照信号の時間領域および／または周波数領域のリソースの構成情報を得た後に、
前記位相追跡参照信号とは異なる少なくとも１種類の参照信号が、前記時間領域および周波数領域のパターンに対応するリソースの位置に構成されているかを判断することと、
少なくとも１種類の参照信号が構成されているのであれば、前記少なくとも１種類の参照信号が、前記位相追跡参照信号の時間領域および周波数領域のパターンに対応するリソースの位置をすべて占用したかを判断することと、
占用されない時間領域および周波数領域のリソースの位置が少なくとも１つあれば、前記少なくとも１つの占用されない時間領域および周波数領域のリソースの位置に前記位相追跡参照信号を構成することとをさらに含む請求項１に記載の方法。
【請求項６】
通信ネットワークの構成を表すための参照情報の少なくとも１種類を取得する参照情報取得ユニットと、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得る構成ユニットとを含む信号構成装置。
【請求項７】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記構成ユニットは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくとも前記スケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを実行するように構成される請求項６に記載の装置。
【請求項８】
前記構成ユニットは、
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成するように構成される請求項７に記載の装置。
【請求項９】
ＤＣＩ、ＲＲＣ、ＵＬ  ｇｒａｎｔのうちの少なくとも一つによって構成情報を受信側に送信し、または、アップリンク制御情報ＵＣＩによって構成情報を受信側に送信する通信ユニットをさらに含み、
或いは、
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩによって受信側に送信する通信ユニットをさらに含み、
或いは、
前記構成ユニットは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記位相追跡参照信号と、構成されている少なくとも１種類の参照信号を多重化するように構成される請求項６〜８のいずれか一項に記載の装置。
【請求項１０】
前記構成ユニットは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記少なくとも１種類の参照信号が、前記位相追跡参照信号の時間領域および周波数領域のパターンに対応するリソースの位置をすべて占用したかを判断し、
占用されない時間領域および周波数領域のリソースの位置が少なくとも１つあれば、前記少なくとも１つの占用されない時間領域および周波数領域のリソースの位置に前記位相追跡参照信号を構成するように構成される請求項６に記載の装置。
【請求項１１】
通信ネットワークの構成を表すための参照情報の少なくとも１種類を取得し、
前記少なくとも１種類の参照情報に基づいて、位相追跡参照信号の時間領域および／または周波数領域のリソースを構成し、前記位相追跡参照信号の時間領域および／または周波数領域のリソースの構成情報であって、時間領域および／または周波数領域のリソースに対応する密度またはパターンが含まれる構成情報を得るプロセッサを含む信号構成装置。
【請求項１２】
前記少なくとも１種類の参照情報は、
位相雑音の単側波帯の電力スペクトル密度、変調・符号化スキームＭＣＳ、サブキャリア間隔、スケジューリングすべき時間領域および／または周波数領域のリソースブロックの数、通信波形の少なくとも一つを含み、
それに応じて、前記プロセッサは、
少なくとも周波数偏移の増加に対応する前記位相雑音の単側波帯の電力スペクトル密度に基づいて、前記位相追跡参照信号の時間領域および／または周波数領域のリソースを構成すること、
少なくとも前記ＭＣＳに基づいて、前記位相追跡参照信号の時間領域および／または周波数領域のリソースを構成すること、
少なくとも前記サブキャリア間隔に基づいて、前記位相追跡参照信号の時間領域および／または周波数領域のリソースを構成すること、
少なくとも前記スケジューリングすべき時間領域および／または周波数領域のリソースブロックの数に基づいて、前記位相追跡参照信号の時間領域および／または周波数領域のリソースを構成すること、
少なくとも通信波形に基づいて、前記位相追跡参照信号の時間領域および／または周波数領域のリソースを構成すること、
の少なくとも一つを実行する請求項１１に記載の装置。
【請求項１３】
前記プロセッサは、
周波数偏移の増加につれて位相雑音の単側波帯の電力スペクトル密度の低下速度が増加するのであれば、第１密度閾値範囲で前記位相追跡参照信号の時間領域および／または周波数領域のリソースの密度を構成し、周波数偏移の増加につれて位相雑音の単側波帯の電力スペクトル密度の低下速度が遅くなるのであれば、第２密度閾値範囲で前記位相追跡参照信号の時間領域および／または周波数領域のリソースの密度を構成し、ここで、前記第１密度閾値範囲内の数値が第２密度閾値範囲内の数値より小さく、
および／または、
前記ＭＣＳが第１所定範囲内にあると、第１密度閾値範囲で前記位相追跡参照信号の時間領域および／または周波数領域のリソースの密度を構成し、前記ＭＣＳが第２所定範囲内にあると、第２密度閾値範囲で前記位相追跡参照信号の時間領域および／または周波数領域のリソースの密度を構成し、ここで、前記第１所定範囲内の数値が第２所定範囲内の数値より小さく、前記第１密度閾値範囲内の数値が第２密度閾値範囲内の数値より小さく、
および／または、
前記サブキャリア間隔が第３所定範囲内にあると、第１密度閾値範囲で前記位相追跡参照信号の時間領域および／または周波数領域のリソースの密度を構成し、前記サブキャリア間隔が第４所定範囲内にあると、第２密度閾値範囲で前記位相追跡参照信号の時間領域および／または周波数領域のリソースの密度を構成し、ここで、前記第３所定範囲内の数値が第４所定範囲内の数値より大きく、
および／または、
スケジューリングすべき時間領域および／または周波数領域のリソースブロックの数に基づいて、前記位相追跡参照信号の周波数領域のリソースに対して、割当可能な上限値および割当可能な下限値を設定し、
および／または、
通信波形がシングルキャリアであると、第１密度で時間領域および／または周波数領域のリソースの密度を構成し、通信波形がＯＦＤＭであると、前記第１密度より大きい第２密度で時間領域および／または周波数領域のリソースの密度を構成する請求項１２に記載の装置。
【請求項１４】
ＤＣＩ、ＲＲＣ、ＵＬ  ｇｒａｎｔのうちの少なくとも一つによって構成情報を受信側に送信し、または、アップリンク制御情報ＵＣＩによって構成情報を受信側に送信する通信インタフェースをさらに含み、
或いは、
前記位相追跡参照信号の時間領域および／または周波数領域の構成が少なくとも一つの参照情報に関係することを指示するための指示情報を、ＤＣＩ、ＲＲＣ、ＵＬ  ｇｒａｎｔのうちの少なくとも一つによって受信側に送信し、または、前記位相追跡参照信号の時間領域および／または周波数領域の構成が少なくとも一つの参照情報に関係することを指示するための指示情報を、ＵＣＩによって受信側に送信する通信インタフェースをさらに含む請求項１１〜１３のいずれか一項に記載の装置。
【請求項１５】
前記プロセッサは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記位相追跡参照信号と、構成されている少なくとも１種類の参照信号を多重化し、
或いは、
前記プロセッサは、
前記位相追跡参照信号とは異なる少なくとも１種類の参照信号が、前記時間領域および周波数領域のパターンに対応するリソースの位置に構成されているかを判断し、
少なくとも１種類の参照信号が構成されているのであれば、前記少なくとも１種類の参照信号が、前記位相追跡参照信号の時間領域および周波数領域のパターンに対応するリソースの位置をすべて占用したかを判断し、
占用されない時間領域および周波数領域のリソースの位置が少なくとも１つあれば、前記少なくとも１つの占用されない時間領域および周波数領域のリソースの位置に前記位相追跡参照信号を構成する請求項１１に記載の装置。
【国際調査報告】
2020504545.tif 000008
2020504545.tif 000009
2020504545.tif 000010
2020504545.tif 000011